(57)【要約】【課題】  簡単な構成で輝度傾斜を無くすことができる電気光学装置の駆動方法、電気光学装置及び電子機器を提供する。【解決手段】  表示パネル部１２上に備えられた走査線を第１の走査線Ｙ１〜Ｙ７２８と第２の走査線Ｚ１〜Ｚ７２８とから構成される２種類の走査線に分けた。第１の走査線Ｙ１〜Ｙ７２８の走査開始走査線を表示パネル部１２の最上段部に位置する走査線Ｙ１とした。また、第２の走査線Ｚ１〜Ｚ７２８の走査開始走査線を表示パネル部１２の中段部に位置する走査線とした。そして、第１の走査線Ｙ１〜Ｙ７２８は、Ｙ１→Ｙ２→・・・→Ｙ７２８の順に選択され、またそれと同期して第２の走査線Ｚ１〜Ｚ７２８は、中段部に位置する走査線から、順次、…→Ｚ７２８→Ｚ１→・・・の順に選択されるようにした。【選択図】      図２
2005107144.tif 000002
【特許請求の範囲】
【請求項１】
電気光学装置の駆動方法において、
複数のデータ線の各々を、少なくとも２つの組に区分するとともに、複数の走査線の各々を、前記区分した組毎にその組に属するデータ線に対応するように区分し、
前記区分した組毎に、当該区分した組に属する複数の走査線における選択が開始される走査線を異ならせることを特徴とする電気光学装置の駆動方法。
【請求項２】
請求項１に記載の電気光学装置の駆動方法において、
前記複数のデータ線の各々は、奇数番目と偶数番目の２つの組に区分し、
前記複数の走査線の各々は、前記奇数番目のデータ線と対応する第１の走査線群と、偶数番目のデータ線に対応する第２の走査線群で構成し、
前記奇数番目のデータ線に対応する前記第１の走査線群の選択が開始される走査線と、前記偶数番目のデータ線に対応する前記第２の走査線群の選択が開始される走査線を異ならせることを特徴とする電気光学装置の駆動方法。
【請求項３】
請求項２に記載の電気光学装置の駆動方法において、
前記第１の走査線群と前記第２の走査線群の走査方向は、互いに異なる方向であることを特徴とする電気光学装置の駆動方法。
【請求項４】
請求項２に記載の電気光学装置の駆動方法において、
前記第１の走査線群と前記第２の走査線群の走査方向は、互いに同じ方向であることを特徴とする電気光学装置の駆動方法。
【請求項５】
請求項２に記載の電気光学装置の駆動方法において、
前記第１の走査線群は、選択が開始される走査線を上段位置又は下段位置にし、前記第２の走査線群は、選択が開始される走査線を中段位置にすることを特徴とする電気光学装置の駆動方法。
【請求項６】
請求項２に記載の電気光学装置の駆動方法において、
前記第１の走査線群は、選択が開始される走査線を上段位置にし、前記第２の走査線群は、選択が開始される走査線を下段位置にすることを特徴とする電気光学装置の駆動方法。
【請求項７】
電気光学装置において、
複数の走査線と、
複数のデータ線と、
前記複数の走査線と複数のデータ線との交差部に対応してそれぞれ設けられた画素と、
前記複数の走査線を選択する走査線駆動回路と、
前記複数のデータ線にデータ信号を供給するデータ線駆動回路と
を具備し、
前記複数のデータ線の各々は、少なくとも２つの組に区分されるとともに、前記複数の走査線の各々は、前記区分した組毎にその組に属するデータ線に対応するように区分され、
前記走査線駆動回路は、前記区分された組に属する走査線群に対応して設けられ、前記区分された組に属する走査線群は各々他の組に属する走査線群と同期して選択されるとともに、前記区分された組に属する走査線群の選択が開始される走査線を前記他の組に属する走査線群に対して異ならせ、
前記データ線駆動回路は、前記走査線群が同期して対応する走査線を選択するとき、選択された前記走査線群に対応する画素に対する前記データ信号を前記データ線を介して供
給することを特徴とする電気光学装置。
【請求項８】
請求項７に記載の電気光学装置において、
前記複数のデータ線の各々は、奇数番目と偶数番目の２つの組に区分され、
前記複数の走査線の各々は、前記奇数番目のデータ線と対応する第１の走査線群と、偶数番目のデータ線に対応する第２の走査線群で構成され、
前記走査線駆動回路は、奇数番目のデータ線に対応する前記第１の走査線群を選択する第１の走査線駆動回路と、
偶数番目のデータ線に対応する前記第２の走査線群を選択する第２の走査線駆動回路とからなることを特徴とする電気光学装置。
【請求項９】
請求項８に記載の電気光学装置において、
前記第１の走査線駆動回路と前記第２の走査線駆動回路の走査方向を異ならせることを特徴とする電気光学装置。
【請求項１０】
請求項８に記載の電気光学装置において、
前記第１の走査線駆動回路と前記第２の走査線駆動回路の走査方向を同じ方向にさせることを特徴とする電気光学装置。
【請求項１１】
請求項８乃至１０のいずれか一つに記載の電気光学装置において、
前記第１の走査線駆動回路は、選択が開始される走査線を上段位置又は下段位置にさせ、
前記第２の走査線駆動回路は、選択が開始される走査線を中段位置にさせることを特徴とする電気光学装置。
【請求項１２】
請求項８乃至１０のいずれか一つに記載の電気光学装置において、
前記第１の走査線駆動回路は、選択が開始される走査線を上段位置にさせ、
前記第２の走査線駆動回路は、選択が開始される走査線を下段位置にさせることを特徴とする電気光学装置。
【請求項１３】
請求項７乃至１２のいずれか一つに記載の電気光学装置を備えた電子機器。
【発明の詳細な説明】
【技術分野】
【０００１】
本発明は、電気光学装置の駆動方法、電気光学装置及び電子機器に関するものである。
【背景技術】
【０００２】
電気光学装置、例えば液晶表示装置は、各種電子機器の表示パネル部に採用されている。また、液晶表示装置は、プロジェクターに採用されている。
この種の液晶表示装置には、表示パネル部に行方向に備えられた複数の走査線と、列方向に備えられた複数のデータ線とその各走査線とデータ線の交差部にＴＦＴ等のアクティブ素子を備えた画素を配置したアクティブマトリクス型液晶表示装置がある。そして、表示パネル部に画像を表示する場合、液晶表示装置は、走査線駆動回路にて複数の走査線を上から下に向かって順番に１本ずつ選択し、データ線駆動回路にてその選択される走査線に接続された各画素に対してそれぞれのデータ線を介して画像データを供給することによって１フレームの画像が表示される。
【０００３】
ところで、液晶は、直流電圧で駆動すると寿命が短くなることから交流電圧駆動、極性反転駆動が行われている。この極性反転駆動の一つとして、１フレーム毎に、全画素を同時にその極性を切り換えるフレーム反転方式がある。このフレーム反転方式は、輝度傾斜が生じることが知られている（例えば、特許文献１）。
【０００４】
これは、１フレーム毎に画素電位の極性の切り換えが行われることから、表示パネル部の上部では、画像データが書き込まれて長時間同極性の信号が与えられるので、画素電位の低下の割合が小さいのに対して、画面下部では画像データが書き込まれてからすぐに逆極性の信号が与えられるので、画素電位の低下が大きいことから輝度むらが発生する。
【０００５】
図１１は、従来の駆動方法によって表示されたノーマルホワイトモードでの画像の画面図である。また、図１２は、従来の駆動方法によって表示されたノーマルブラックモードでの画像の画面図である。
【０００６】
輝度傾斜は、ノーマリーホワイトモードの場合、図１１に示すように、走査方向（走査線を選択して行く方向）であって、画面の下にいくほど明るくなる輝度むらが発生する。反対に、ノーマリーブラックモードの場合、図１２に示すように、走査方向であって、画面の下にいくほど暗くなる輝度むらが発生する。
【０００７】
この輝度むらを解消するために、特許文献１では、走査線の選択順序を表示パネル部の上側から下側に向かって順番に選択する方法に替えて、走査線の選択する順番をランダムに行う。これによって、画素電位の低下の割合が画面全体にわたって平均化され、輝度傾斜の発生をなくすようにしている。
【特許文献１】特開平６−２６６３１０号公報
【発明の開示】
【発明が解決しようとする課題】
【０００８】
しかしながら、特許文献１では、走査線の選択する順番をランダムに選択しなければならないとともに、その選択された走査線に合わせてその走査線上の各画素に対する画像データを供給しなければならないため、走査線駆動回路及びデータ線駆動回路は複かつ大型化になる問題があった。
【０００９】
本発明は上記問題点を解消するためになされたものであって、その目的は、簡単な構成
で輝度傾斜を無くすことができる電気光学装置の駆動方法、電気光学装置及び電子機器を提供することにある。
【課題を解決するための手段】
【００１０】
本発明の電気光学装置の駆動方法は、複数のデータ線の各々を、少なくとも２つの組に区分するとともに、複数の走査線の各々を、前記区分した組毎にその組に属するデータ線に対応するように区分し、前記区分した組毎に、当該区分した組に属する複数の走査線における選択が開始される走査線を異ならせるようにした。
【００１１】
これによれば、走査線の選択順序を従来のように画面の上側から下側に向かって順番に選択する方法に替えて、走査線を少なくとも２つの組に区分し、その組に属する複数の走査線のうち選択が開始される走査線を互いに相違させたので、画素電位の低下の割合が画面全体にわたって平均化され、輝度傾斜の発生をなくすことができる。
【００１２】
この電気光学装置の駆動方法において、前記複数のデータ線の各々は、奇数番目と偶数番目の２つの組に区分し、前記複数の走査線の各々は、前記奇数番目のデータ線と対応する第１の走査線群と、偶数番目のデータ線に対応する第２の走査線群で構成し、前記奇数番目のデータ線に対応する前記第１の走査線群の選択が開始される走査線と、前記偶数番目のデータ線に対応する前記第２の走査線群の選択が開始される走査線を異ならせてもよい。
【００１３】
これによれば、複数の走査線を奇数番目のデータ線に対応する走査線と偶数番目のデータ線に対応する走査線に区分し、それぞれ、走査を開始する走査線を相違させた。従って、奇数番目のデータ線及び偶数番目のデータ線毎に画素電位の低下の割合を平均化することができる。
【００１４】
この電気光学装置の駆動方法において、前記第１の走査線群と前記第２の走査線群の走査方向は、互いに異なる方向であってもよい。
これによれば、前記区分された組毎でその走査線の走査方向が異なるようにすることで、その画素電位の低下の割合を隣接した前記区分した組毎に平均化させることができる。
【００１５】
この電気光学装置の駆動方法において、前記第１の走査線群と前記第２の走査線群の走査方向は、互いに同じ方向であってもよい。
これによれば、前記区分された組毎でその走査線の走査方向が同じになるようにすることで、その画素電位の低下の割合を隣接した前記区分した組毎に平均化させることができる。
【００１６】
この電気光学装置の駆動方法において、前記第１の走査線群は、選択が開始される走査線を上段位置又は下段位置にし、前記第２の走査線群は、選択が開始される走査線を中段位置にしてもよい。
【００１７】
これによれば、前記第１の走査線群に対応する画素は、上段位置または下段位置にある走査線からその走査方向に沿ってその輝度が低下していき、前記第２の走査線群に対応する画素は、その中段位置にある走査線からその走査方向に沿ってその輝度が低下していく。これにより輝度むらの出方は各々の組の画素の走査方向で異なるため、輝度のむらを平均化させることができる。
【００１８】
この電気光学装置の駆動方法において、前記第１の走査線群は、選択が開始される走査線を上段位置にし、前記第２の走査線群は、選択が開始される走査線を下段位置してもよい。
【００１９】
これによれば、前記第１の走査線群に対応する画素は、上段位置にある走査線からその走査方向に沿ってその輝度が低下していき、前記第２の走査線群に対応する画素は、その下段位置にある走査線からその走査方向に沿ってその輝度が低下していく。これにより輝度むらの出方は各々の組の画素の走査方向で異なるため、輝度のむらを平均化させることができる。
【００２０】
本発明の電気光学装置は、複数の走査線と、複数のデータ線と、前記複数の走査線と複数のデータ線との交差部に対応してそれぞれ設けられた画素と、前記複数の走査線を選択する走査線駆動回路と、前記複数のデータ線にデータ信号を供給するデータ線駆動回路とを具備し、前記複数のデータ線の各々は、少なくとも２つの組に区分されるとともに、前記複数の走査線の各々は、前記区分した組毎にその組に属するデータ線に対応するように区分され、前記走査線駆動回路は、前記区分された組に属する走査線群に対応して設けられ、前記区分された組に属する走査線群は各々他の組に属する走査線群と同期して選択されるとともに、前記区分された組に属する走査線群の選択が開始される走査線を前記他の組に属する走査線群に対して異ならせ、前記データ線駆動回路は、前記走査線群が同期して対応する走査線を選択するとき、選択された前記走査線群に対応する画素に対する前記データ信号を前記データ線を介して供給する。
【００２１】
これによれば、走査線の選択順序を従来のように画面の上側から下側に向かって順番に選択する方法に替えて、走査線を少なくとも２つの組に区分し、その組に属する複数の走査線のうち選択が開始される走査線を互いに相違させたので、画素電位の低下の割合が画面全体にわたって平均化され、輝度傾斜の発生をなくすことができる。また、走査線を少なくとも２つの組に区分し、その組に属する複数の走査線の走査開始走査線を互いに相違させただけなので、走査線駆動回路及びデータ線駆動回路が複雑且つ大型化になることなく簡単な構成で輝度傾斜を低減させることができる。
【００２２】
この電気光学装置において、前記複数のデータ線の各々は、奇数番目と偶数番目の２つの組に区分され、前記複数の走査線の各々は、前記奇数番目のデータ線と対応する第１の走査線群と、偶数番目のデータ線に対応する第２の走査線群で構成され、前記走査線駆動回路は、奇数番目のデータ線に対応する前記第１の走査線群を選択する第１の走査線駆動回路と、偶数番目のデータ線に対応する前記第２の走査線群を選択する第２の走査線駆動回路とからなっていてもよい。
【００２３】
これによれば、選択が開始される走査線を奇数番目のデータ線に対応する走査線と偶数番目のデータ線に対応する走査線とで相違させた。従って、奇数番目のデータ線及び偶数番目のデータ線毎に画素電位の低下の割合を平均化することができる。
【００２４】
この電気光学装置において、前記第１の走査線駆動回路と前記第２の走査線駆動回路の走査方向を異ならせるようにしてもよい。
これによれば、選択を開始する走査線を第１の走査線群と第２の走査線群とで相違させるとともにその第１の走査線群と第２の走査線群とで各走査線の走査方向を異ならせることで、その画素電位の低下の割合を前記区分した組毎に平均化させることができる。
【００２５】
この電気光学装置において、前記第１の走査線駆動回路と前記第２の走査線駆動回路の走査方向を同じ方向にさせてもよい。
これによれば、選択を開始する走査線を第１の走査線群と第２の走査線群とで相違させるとともにその第１の走査線群と第２の走査線群とで各走査線の走査方向を同じにすることで、その画素電位の低下の割合を前記区分した組毎に平均化させることができる。
【００２６】
この電気光学装置において、前記第１の走査線駆動回路は、選択が開始される走査線を上段位置又は下段位置にさせ、前記第２の走査線駆動回路は、選択が開始される走査線を中段位置にさせてもよい。
【００２７】
これによれば、第１の走査線群に対応する画素は、上段位置または下段位置にある走査線からその走査方向に沿ってその輝度を低下させるようにし、第２の走査線群に対応する画素は、その中段位置にある走査線からその走査方向に沿ってその輝度を低下させるようにすることで、輝度のむらを平均化させることができる。
【００２８】
この電気光学装置において、前記第１の走査線駆動回路は、選択が開始される走査線を上段位置にさせ、前記第２の走査線駆動回路は、選択が開始される走査線を下段位置にさせてもよい。
【００２９】
これによれば、第１の走査線群に対応する画素は、上段位置にある走査線からその走査方向に沿ってその輝度が低下していき、第２の走査線群に対応する画素は、その下段位置にある走査線からその走査方向に沿ってその輝度が低下していく。これにより輝度むらの出方は各々の組の画素の走査方向で異なるため、輝度のむらを平均化させることができる。
【００３０】
本発明の電子機器は、上記電気光学装置を備えた。
これによれば、簡単な構成で輝度傾斜を低減させることができる電気光学装置を備えた電子機器を提供することにある。
【発明を実施するための最良の形態】
【００３１】
（第１実施形態）
以下、本発明を具体化した第１実施形態を図１〜図５に従って説明する。図１は、本実施形態に係る液晶表示装置の電気的構成を示すブロック回路図である。図２は、表示パネル部の電気的構成を説明するための図である。図３は、画素の等価回路図である。図４は、各種信号のタイミングチャートである。
【００３２】
液晶表示装置１０は、図１に示すように、制御回路１１、表示パネル部１２、第１の走査線駆動回路１３ａ、第２の走査線駆動回路１３ｂ、データ線駆動回路１４及びフレームメモリ１５を備えている。
【００３３】
液晶表示装置１０の制御回路１１、第１の走査線駆動回路１３ａ、第２の走査線駆動回路１３ｂ、データ線駆動回路１４及びフレームメモリ１５は、それぞれが独立した電子部品によって構成されていてもよい。例えば、制御回路１１、第１の走査線駆動回路１３ａ、第２の走査線駆動回路１３ｂ、データ線駆動回路１４及びフレームメモリ１５が各々１チップの半導体集積回路装置によって構成されていてもよい。また、制御回路１１、第１の走査線駆動回路１３ａ、第２の走査線駆動回路１３ｂ、データ線駆動回路１４及びフレームメモリ１５の全部若しくは一部がプログラマブルなＩＣチップで構成され、その機能がＩＣチップに書き込まれたプログラムによりソフトウェア的に実現されてもよい。
【００３４】
制御回路１１は、外部からクロック信号ＣＬＫを入力する。制御回路１１は、前記クロック信号ＣＬＫに基づいて垂直同期信号ＶＳＹＮＣ及び水平同期信号ＨＳＹＮＣを生成する。また、フレームメモリのリード制御信号、及びライト制御信号、対向電位ＬＣＣＯＭ、そしてデータ線に対してデータを送信するタイミングを決定するイネーブル信号ＥＢ１〜ＥＢ４を生成する。制御回路１１は、その生成した垂直同期信号ＶＳＹＮＣを第１の走査線駆動回路１３ａ及び第２の走査線駆動回路１３ｂにそれぞれ出力する。また、制御回路１１は、水平同期信号ＨＳＹＮＣをデータ線駆動回路１４に出力する。
【００３５】
表示パネル部１２は、図２に示すように、その行方向に沿って延びる複数の第１の走査線Ｙ１，Ｙ２，…，Ｙｎ（これが、特許請求の範囲に記載の「第１の走査線群」に相当する）と複数の第２の走査線Ｚ１，Ｚ２，…，Ｚｎ（これが、特許請求の範囲に記載の「第２の走査線群」に相当する）とを備えている。第１の走査線Ｙ１〜Ｙｎは、表示パネル部１２の上側から下側に向かってＹ１，Ｙ２，…，Ｙｎの順に備えられている。また、第２の走査線Ｚ１〜Ｚｎは、表示パネル部１２の上側から下側に向かってＺ１，Ｚ２，…，Ｚｎの順に備えられている。
【００３６】
そして、各第１の走査線Ｙ１〜Ｙｎと各第２の走査線Ｚ１〜Ｚｎは、表示パネル部１２の上下方向に対して交互に備えられている。つまり、図２に示すように、第１の走査線Ｙ１〜Ｙｎのうち上から数えて１番目の走査線Ｙ１の下段方向の位置には、第２の走査線Ｚ１〜Ｚｎのうちの上から数えて１番目の走査線Ｚ１が備えられている。また、第１の走査線Ｙ１〜Ｙｎのうちの上から数えて２番目の走査線Ｙ２の下段方向の位置には、第２の走査線Ｚ１〜Ｚｎのうちの上から数えて２番目の走査線Ｚ２が配置されるように備えられている。
【００３７】
また、表示パネル部１２は、その列方向に沿って延びる複数のデータ線Ｘ１，Ｘ２，…，Ｘｍを備えている。複数のデータ線Ｘ１〜Ｘｍは、その表示パネル部１２の左端側から順に、第１のデータ線Ｘ１，第２のデータ線Ｘ２，…，第ｍのデータ線Ｘｍとなるように備えられている。
【００３８】
前記複数のデータ線Ｘ１〜Ｘｍの各々は、本実施形態においては、奇数番目のデータ線Ｘ１，Ｘ３，…と、偶数番目のデータ線Ｘ２，Ｘ４，…とからなる２つの組に区分する。そして、前記第１の走査線Ｙ１〜Ｙｎの各々は、前記区分した２つの組のうちの奇数番目のデータ線Ｘ１，Ｘ３，…とそれぞれ対応する走査線を構成している。同様に、前記第２の走査線Ｚ１〜Ｚｎの各々は、前記区分した２つの組のうちの偶数番目のデータ線Ｘ２，Ｘ４，…とそれぞれ対応する走査線を構成している。
【００３９】
尚、本実施形態の表示パネル部１２には、それぞれ７２８本の第１の走査線Ｙ１〜Ｙ７２８と第２の走査線Ｚ１〜Ｚ７２８とが備えられている。また、本実施形態の表示パネル部１２には、１３２０本のデータ線Ｘ１〜Ｘ１３２０が備えられている。従って、データ線Ｘ１〜Ｘ１３２０のうちの奇数番目に備えられたデータ線Ｘ１，Ｘ３，…，Ｘ１３１９が第１の走査線Ｙ１〜Ｙ７２８に対応する。また、データ線Ｘ１〜Ｘ１３２０のうちの偶数番目に備えられたデータ線Ｘ２，Ｘ４，…，Ｘ１３２０が第２の走査線Ｚ１〜Ｚ７２８に対応する。
【００４０】
また、本実施形態においては、前記した１３２０本のデータ線Ｘ１〜Ｘ１３２０のうち、互いに隣接する１２本のデータ線毎に一つのデータ線群（ブロック）を構成している。つまり、第１のデータ線Ｘ１〜第１２のデータ線Ｘ１２で一つのデータ線群（ブロック）を、第１３のデータ線Ｘ１３〜第２４のデータ線Ｘ２４で一つのデータ線群（ブロック）を、…、第１３０９のデータ線Ｘ１３０９〜第１３２０のデータ線Ｘ１３２０で一つのデータ線群（ブロック）を構成している。従って、行方向に１１０組並設されることになる。
【００４１】
さらに、表示パネル部１２には、前記各第１の走査線Ｙ１〜Ｙ７２８と前記奇数番目のデータ線Ｘ１，Ｘ３，…との交差部に対応して画素２０がそれぞれ設けられている。また、前記各第２の走査線Ｚ１〜Ｚ７２８と前記偶数番目のデータ線Ｘ２，Ｘ４，…との交差部に対応して画素２０がそれぞれ設けられている。つまり、本実施形態の表示パネル部１２には、７２８×１３２０個の画素２０がマトリクス状に配置されている。
【００４２】
図３は、第１のデータ線Ｘ１と第１の走査線Ｙ１、及び第２のデータ線Ｘ２と第２の走査線Ｚ１との交差部に応じた位置にそれぞれ配設された２つの画素２０の等価回路図である。尚、各画素２０の電気的構成は全て同じであるので、説明の便宜上、以下、第１のデータ線Ｘ１と第１の走査線Ｙ１、及び第２のデータ線Ｘ２と第２の走査線Ｚ１との交差部に応じた位置に形成された画素２０についてのみについて説明し、他の画素２０についてはその説明を省略する。
【００４３】
画素２０は、スイッチトランジスタＱｓｗ、液晶素子ＬＣＤ及び補助容量素子Ｃｏを備えている。スイッチトランジスタＱｓｗは、通常はＴＦＴ（薄膜トランジスタ）で構成されている。スイッチトランジスタＱｓｗはスイッチ素子として機能するトランジスタである。スイッチトランジスタＱｓｗは本実施形態ではその導電型がＮ型である。
【００４４】
スイッチトランジスタＱｓｗのドレインは、液晶素子ＬＣＤの画素電極Ｄ１に接続されている。図示しない液晶を介して画素電極Ｄ１に対向する位置には対向電極Ｄ２が形成されている。対向電極Ｄ２は共通電極ＣＯＭに接続されている。また、スイッチトランジスタＱｓｗのドレインは、補助容量素子Ｃｏの第１の電極Ｋ１に接続されている。図示しない誘電材料を介して第１の電極Ｋ１に対向する位置には第２の電極Ｋ２が形成されている。第２の電極Ｋ２は前記共通電極ＣＯＭに接続されている。つまり、補助容量素子Ｃｏは前記液晶素子ＬＣＤに並列に接続されている。
【００４５】
そして、図３に示すように、第１のデータ線Ｘ１と第１の走査線Ｙ１との交差部に応じた位置に配設された画素２０（図中左側の画素２０）のスイッチトランジスタＱｓｗのドレインは対応する第１のデータ線Ｘ１に接続されるとともに、同スイッチトランジスタＱｓｗのゲートは第１の走査線Ｙ１に接続されている。また、第２のデータ線Ｘ２と第２の走査線Ｚ１との交差部に応じた位置に配設された画素２０（図中右側の画素２０）のスイッチトランジスタＱｓｗのドレインは対応する第２のデータ線Ｘ２に接続されるとともに、同スイッチトランジスタＱｓｗのゲートは、前記第１の走査線Ｙ１の下段に位置する第２の走査線Ｚ１に接続されている。また、前記各画素２０の共通電極ＣＯＭは電気的に接続されている。
【００４６】
上記のように構成された画素２０のうち、列方向に配置された各画素２０は、対応するデータ線Ｘ１〜Ｘ１３２０に接続されている。制御用トランジスタＴｃは、本実施形態においては、その導電型がＮ型である。制御用トランジスタＴｃは、前記水平同期信号ＨＳＹＮＣに基づいたタイミングでオンになることで、対応するデータ線Ｘ１〜Ｘ１３２０の電位を所定電位に制御するためのトランジスタである。詳しくは、各制御用トランジスタＴｃは、対応するデータ線Ｘ１〜Ｘ１３２０と、表示パネル部１２上であって各制御用トランジスタＴｃより上段位置に前記第１の走査線Ｙ１〜Ｙ７２８及び第２の走査線Ｚ１〜Ｚ７２８に並行に延設された電位制御線Ｇ１，Ｇ２，Ｇ３との間の位置に形成されている。そして、各制御用トランジスタＴｃはそのゲートが第１の電位制御線Ｇ１に接続されている。第１の電位制御線Ｇ１には、前記水平同期信号ＨＳＹＮＣのタイミングでＨレベルの電圧信号が供給されるようになっている。
【００４７】
また、各制御用トランジスタＴｃのドレインは電位制御線Ｇ１，Ｇ２，Ｇ３のうちの第２の電位制御線Ｇ２または第３の電位制御線Ｇ３のいずれかに接続されている。即ち、奇数番目のデータ線Ｘ１，Ｘ３，…に対応した制御用トランジスタＴｃの各ドレインは第２の電位制御線Ｇ２に接続されている。データ線Ｘ１〜Ｘ１３２０のうち偶数番目のデータ線Ｘ２，Ｘ４，…，Ｘ１３２０に対応した制御用トランジスタＴｃの各ドレインは第３の電位制御線Ｇ３に接続されている。本実施形態においては、第２の電位制御線Ｇ２と第３の電位制御線Ｇ３とは同じ電位になるように予め設定されている。
【００４８】
また、各データ線Ｘ１〜Ｘ１３２０は、表示パネル部１２上であって前記各画素２０より下側（下段位置）に形成されたスイッチング用トランジスタＴｓにそれぞれ接続されている。スイッチング用トランジスタＴｓは、本実施形態においては、その導電型がＮ型である。
【００４９】
詳しくは、各スイッチング用トランジスタＴｓは、対応する画素２０と、表示パネル部１２上であって前記各画素２０より下段位置に前記各第１の走査線Ｙ１〜Ｙ７２８及び第２の走査線Ｚ１〜Ｚ７２８に並行に延設されたデータ供給線Ｌ１，Ｌ２，…，Ｌ１２との間の位置に形成されている。このデータ供給線Ｌ１〜Ｌ１２は、前記した各ブロックを構成する１組のデータ線群を構成するデータ線の数（本実施形態では１２本）だけ備えられている。第１のデータ供給線Ｌ１には第１のビデオデータＶＩＤ１、第２のデータ供給線Ｌ２には第２のビデオデータＶＩＤ２、…、第１２のデータ供給線Ｌ１２には第１２のビデオデータＶＩＤ１２がそれぞれ供給されるようになっている。
【００５０】
前記した各ブロックに設けられた１２個のスイッチング用トランジスタＴｓの各ソースは、対応する前記データ供給線Ｌ１〜Ｌ１２にそれぞれ接続されている。また、各ブロックに設けられた１２個のスイッチング用トランジスタＴｓの各ゲートは互いに電気的に接続されている。また、各スイッチング用トランジスタＴｓの各ドレインは、対応する第１〜第１３２０のデータ線Ｘ１〜Ｘ１３２０にそれぞれ接続されている。
【００５１】
ブロック毎にそれぞれ対応する１１０個のアンド回路Ａｄ１〜Ａｄ１１０が設けられている。各アンド回路Ａｄ１〜Ａｄ１１０は、それぞれ対応するブロックの各スイッチング用トランジスタＴｓのゲートにその出力端子が接続されている。各アンド回路Ａｄ１〜Ａｄ１１０の２つの入力端子のうち、一方の入力端子はデータ線駆動回路１４に接続されている。本実施形態は、１１０個のアンド回路Ａｄ１〜Ａｄ１１０は、その互いに隣接する２つのアンド回路を１組とし、その５５個の組毎に対してデータ線駆動回路１４からそれぞれ対応する制御信号Ｐ１〜Ｐ５５個の組毎に対してデータ線駆動回路１４からそれぞれ対応する制御信号Ｐ１〜Ｐ５５が供給される。制御信号Ｐ１〜Ｐ５５は、図４に示すように、クロック信号ＣＬＫ（水平同期信号ＨＳＹＮＣ）の立ち上がりと立ち下がりに順番に出力されるパルス制御信号であって、その制御信号Ｐ１〜Ｐ５５が順番に出力されると、１１個のアンド回路Ａｄ１〜Ａｄ１１０の選択が一巡されることとなる。そして、１１０個のアンド回路Ａｄ１〜Ａｄ１１０の選択が一巡されると、再び制御信号Ｐ１〜Ｐ５５が順番に出力され、１１０個のアンド回路Ａｄ１〜Ａｄ１１０の選択を以降同様に繰り返すようになっている。
【００５２】
各アンド回路Ａｄ１〜Ａｄ１１０の他方の入力端子は、それぞれ対応するイネーブル制御線Ｅ１〜Ｅ４に接続されている。第１のデータ線Ｘ１〜第１２のデータ線Ｘ１２のブロックに対応した第１のアンド回路Ａｄ１は、第１のイネーブル制御線Ｅ１に接続されている。第１３のデータ線Ｘ１３〜第２４のデータ線Ｘ２４のブロックに対応した第２のアンド回路Ａｄ２は、第２のイネーブル制御線Ｅ２に接続されている。また、第２５のデータ線Ｘ２５〜第３６のデータ線Ｘ３６のブロックに対応した第３のアンド回路Ａｄ３は、第３のイネーブル制御線Ｅ３に接続されている。また、第３７のデータ線Ｘ３７〜第４８のデータ線Ｘ４８のブロックに対応した第４のアンド回路Ａｄ４は、第４のイネーブル制御線Ｅ４に接続されている。以後、同様に、各アンド回路Ａｄ１〜Ａｄ１１０は、第１のイネーブル制御線Ｅ１、第２のイネーブル制御線Ｅ２、第３のイネーブル制御線Ｅ３、第４のイネーブル制御線Ｅ４の順番を繰り返しながら対応する制御線と接続されている。
【００５３】
第１〜第４のイネーブル制御線Ｅ１〜Ｅ４は、前記制御回路１１から出力されるイネーブル信号ＥＢ１〜ＥＢ４を対応するアンド回路Ａｄ１〜Ａｄ１１０に出力する。第１〜第
４のイネーブル制御線Ｅ１〜Ｅ４は、前記制御回路１１にて生成される。イネーブル信号ＥＢ１〜ＥＢ４は、同じパルス幅のパルス信号であって、図４に示すように、クロック信号ＣＬＫの半周期で、予め定めた順番で１回ずつ出力される。
【００５４】
従って、前記１１０個のアンド回路Ａｄ１〜Ａｄ１１０は、それぞれ対応する前記制御信号Ｐ１〜Ｐ５５とイネーブル信号ＥＢ１〜ＥＢ４とが入力されたとき、それぞれＨレベルの選択信号Ｑ１〜Ｑ１１０を対応するブロックのスイッチング用トランジスタＴｓに出力する。つまり、順番に選択信号Ｑ１〜Ｑ１１０が出力されることにより、図２の表示パネル部１２において、左側のブロックから右側のブロックに向かって、各ブロックが順番に選択される。そして、選択される各ブロックにおいて、そのブロックの１２個のスイッチング用トランジスタＴｓがオンされる。すると、選択されたブロックであって後記する第１及び第２の走査線駆動回路１３ａ，１３ｂにてそれぞれ選択された第１及び第２の走査線上の画素２０のための第１〜第１２のビデオデータＶＩＤ１〜ＶＩＤ１２がフレームメモリ１５〜読み出される。そして、その第１〜第１２のビデオデータＶＩＤ１〜ＶＩＤ１２がスイッチング用トランジスタＴｓを介してそれぞれ対応するブロックのデータ線に供給されるようになっている。
【００５５】
尚、前記した１２本のデータ線で構成される１組のデータ線群と、そのデータ線の各々に接続された１２個の制御用トランジスタＴｃと１２個の１２個のスイッチング用トランジスタＴｓとが形成された領域Ｒｏを図２において二点鎖線で示している。そして、この領域Ｒｏが、表示パネル部１２の行方向に１１０個配置されている。
【００５６】
第１の走査線駆動回路１３ａは、前記奇数番目のデータ線に対応した画素２０にそれぞれ接続された第１の走査線Ｙ１〜Ｙ７２８にそれぞれ接続されている。第１の走査線駆動回路１３ａは、第１の走査信号ＳＹ１，ＳＹ２，…，ＳＹ７２８を作成する。各走査信号ＳＹ１〜ＳＹ７２８はＬレベルまたはＨレベルを有する電圧信号である。
【００５７】
第１の走査線駆動回路１３ａは、垂直同期信号ＶＳＹＮＣのタイミングで第１の走査線Ｙ１〜Ｙ７２８のうちの１本の第１の走査線にＨレベルの走査信号を出力することで走査線を選択する。詳しくは、第１の走査線駆動回路１３ａは、本実施形態においては、前記垂直同期信号ＶＳＹＮＣに基づいて複数の第１の走査線Ｙ１〜Ｙ７２８の各々を表示パネル部１２の上段位置にある第１の走査線Ｙ１を走査開始走査線として、予め定めた走査方向であるＹ１→Ｙ２→…→Ｙ７２８の順にＨレベルの走査信号ＳＹ１〜ＳＹ７２８を出力する。
【００５８】
また、第１の走査線駆動回路１３ａによる各第１の走査線Ｙ１〜Ｙ７２８の選択期間（走査信号ＳＹ１〜ＳＹ７２８のＨレベルのパルス幅）は、前記制御信号Ｐ１〜Ｐ５５によって１１０個のアンド回路Ａｄ１〜Ａｄ１１０の選択が一巡される期間としている。従って、走査信号ＳＹ１〜ＳＹ７２８によって選択された第１の走査線Ｙ１〜Ｙ７２８上の奇数番目のデータ線に接続された各画素２０には、それぞれ前記ブロックの単位で順番に第１〜第１２のビデオデータＶＩＤ１〜ＶＩＤ１２のうち、奇数番に対応するビデオデータＶＩＤ１，ＶＩＤ３，…，ＶＩＤ１１が供給される。
【００５９】
そして、第１の走査線駆動回路１３ａは、その全ての第１の走査線Ｙ１〜Ｙ７２８が選択されて１フレーム分の画像が表示された後、１フレーム分の新たな画像を表示させる場合は、再び第１の走査線Ｙ１にＨレベルの走査信号ＳＹ１を供給する。そして、第１の走査線駆動回路１３ａは、再びＹ１→Ｙ２→…→Ｙ７２８の走査方向で順次選択する。
【００６０】
第２の走査線駆動回路１３ｂは、前記偶数番目のデータ線に対応した画素２０にそれぞれ接続された第２の走査線Ｚ１〜Ｚ７２８にそれぞれ接続されている。第２の走査線駆動
回路１３ｂは、第２の走査信号ＳＺ１，ＳＺ２，…，ＳＺ７２８を作成する。各走査信号ＳＺ１〜ＳＺ７２８はＬレベルまたはＨレベルを有する電圧信号である。第２の走査線駆動回路１３ｂは、第２走査線Ｚ１〜Ｚ７２８のうちの１本の第２の走査線にＨレベルの走査信号を出力することでその走査線を選択する。
【００６１】
詳しくは、第２の走査線駆動回路１３ｂは、前記垂直同期信号ＶＳＹＮＣに基づいて複数の第２の走査線Ｚ１〜Ｚ７２８の各々を表示パネル部１２の中段位置にある上から数えて３６５番目の第２の走査線Ｚ３６５を走査開始走査線として、予め定めた走査方向であるＺ３６５→Ｚ３６６→…→Ｚ７２８→Ｚ１→Ｚ２→…Ｚ３６４の順にＨレベルの走査信号ＳＺ１〜ＳＺ７２８を出力することで選択する。従って、第２の走査線Ｚ１〜Ｚ７２８と第１の走査線Ｙ１〜Ｙ７２８とは選択されるタイミングは同じであるが、選択が開始される走査線（走査開始走査線）及びその選択方向（走査方向）は相違する。
【００６２】
また、第２の走査線駆動回路１３ｂによる各第２の走査線Ｚ１〜Ｚ７２８の選択期間（走査信号ＳＺ１〜ＳＺ７２８のＨレベルのパルス幅）は、前記制御信号Ｐ１〜Ｐ５５によって１１０個のアンド回路Ａｄ１〜Ａｄ１１０の選択が一巡される期間としている。従って、走査信号ＳＺ１〜ＳＺ７２８によって選択された第２の走査線Ｚ１〜Ｚ７２８上の偶数番目のデータ線に接続された各画素２０には、それぞれ前記ブロックの単位で順番に第１〜第１２のビデオデータＶＩＤ１〜ＶＩＤ１２のうち、偶数番に対応するビデオデータＶＩＤ２，ＶＩＤ４，…，ＶＩＤ１２が供給される。
【００６３】
ここで、フレームメモリ１５から読み出される第１〜第１２のビデオデータＶＩＤ１〜ＶＩＤ１２は、第１及び第２の走査線駆動回路１３ａ，１３ｂにてそれぞれ選択された第１及び第２の走査線上であって選択されたブロックのデータ線上の画素２０のためのビデオデータである。
【００６４】
そして、本実施形態の第２の走査線駆動回路１３ｂは、その全ての第２の走査線Ｚ１〜Ｚ７２８が選択されて１フレーム分の画像が表示された後、再び１フレーム分の新たな画像を表示させる場合は、前記複数の第２の走査線Ｚ１〜Ｚ７２８のうちの走査開始走査線である３６５番目の第２の走査線Ｚ３６５にＨレベルの走査信号を供給する。そして、第２の走査線駆動回路１３ｂは、再びＺ３６５→Ｚ３６６→…→Ｚ７２８→Ｚ１→Ｚ２→…Ｚ３６４の走査方向で順次選択する。
【００６５】
図５は、第１及び第２の走査線駆動回路１３ａ，１３ｂが出力する第１及び第２の走査信号ＳＹ１〜ＳＹ７２８，ＳＺ１〜ＳＺ７２８のタイミングチャートを示す。第１の走査線駆動回路１３ａは、第１の走査信号ＳＹ１〜ＳＹ７２８を、ＳＹ１→ＳＹ２→ＳＹ３→…→ＳＹ３６５→ＳＹ３６６→ＳＹ３６７→…→ＳＹ７２８の順で出力する。第２の走査線駆動回路１３ｂは、第１の走査信号ＳＹ１〜ＳＹ７２８と同期させて第２の走査信号ＳＺ１〜ＳＺ７２８を、ＳＺ３５６→ＳＺ３６６→ＳＺ３６５→…→ＳＺ２→ＳＺ１→ＳＺ７２８→ＳＺ７２７→…→ＳＺ３５７の順で出力する。
【００６６】
従って、奇数番目のデータ線Ｘ１，Ｘ３，…と対応する第１の走査線Ｙ１〜Ｙ７２８は、Ｙ１→Ｙ２→Ｙ３→…→Ｙ３６５→Ｙ３６６→Ｙ３６７→…→Ｙ７２８の順で選択される。また、偶数番目のデータ線Ｘ２，Ｘ４，…と対応する第２の走査線Ｚ１〜Ｚ７２８は、Ｚ３５６→Ｚ３６６→Ｚ３６５→…→Ｚ２→Ｚ１→Ｚ７２８→Ｚ７２７→…→Ｚ３５７の順で選択される。
【００６７】
データ線駆動回路１４は、図２に示すように、表示パネル部１２の下方に備えられている。データ線駆動回路１４は、前記水平同期信号ＨＳＹＮＣに基づいて制御信号Ｐ１〜Ｐ５５を生成する。各制御信号Ｐ１〜Ｐ５５は、ＬレベルまたはＨレベルを有する電圧信号
である。そして、データ線駆動回路１４は、Ｈレベルの制御信号を第１の制御信号Ｐ１→第２の制御信号Ｐ２→…→第５５の制御信号Ｐ５５の順に出力する。
【００６８】
フレームメモリ１５は、前記データ供給線Ｌ１〜Ｌ１２に接続されている。また、フレームメモリ１５は、前記制御回路１１の制御に基づいて図示しない外部回路から画像データＤを入力して１フレーム毎に記憶する。フレームメモリ１５は、前記制御回路１１の制御に基づいて記憶した１フレーム分の画像データＤの所定のアドレスの画像データを適宜読み出して出力することができるフレームメモリであって、例えば、ＳＲＡＭといった公知のメモリで構成されている。
【００６９】
詳しくは、フレームメモリ１５から、まず、第１の走査線Ｙ１〜Ｙ７２８の走査開始走査線である第１の走査線Ｙ１と、１つのブロックを構成する第１〜第１２のデータ線Ｘ１〜Ｘ１２のうちの奇数番目のデータ線Ｘ１，Ｘ３，・・・，Ｘ１１との交差部に対応する位置に配置された画素２０に対する画像データＤを一斉に読み出す。その読み出した画像データＤのうち第１のデータ線Ｘ１に接続した画素２０に対応する画像データを第１のビデオデータＶＩＤ１、第３のデータ線Ｘ３に接続した画素２０に対応する画像データを第３のビデオデータＶＩＤ３，…，第１１のデータ線Ｘ１１に接続した画素２０に対応する画像データを第１１のビデオデータＶＩＤ１１とする。フレームメモリ１５は、第１のビデオデータＶＩＤ１を第１のデータ供給線Ｌ１に，第３のビデオデータＶＩＤ３を第３のデータ供給線Ｌ３に，…，第１１のビデオデータＶＩＤ１１を第１１のデータ供給線Ｌ１１に出力する。以後、同様に、前記イネーブル信号ＥＢ１〜ＥＢ４に同期して順番に左側のブロックについてそのブロックにある奇数番目の各データ線上の画素２０に対する画像データＤが読み出され出力されるようになっている。
【００７０】
また、これと同期して、フレームメモリ１５からは、第２の走査線Ｚ１〜Ｚ７２８の走査開始走査線である上から数えて３６５番目の第２の走査線Ｚ３６５と、１つのブロックを構成する第１〜第１２のデータ線Ｘ１〜Ｘ１２のうちの偶数番目のデータ線Ｘ２，Ｘ４，・・・，Ｘ１２との交差部に対応する位置に配置された画素２０に対する画像データＤを一斉に読み出す。その読み出された画像データＤのうち第２のデータ線Ｘ２に接続した画素２０に対応する画像データを第２のビデオデータＶＩＤ２，第４のデータ線Ｘ４に接続した画素２０に対応する画像データを第４のビデオデータＶＩＤ４，…，第１２のデータ線Ｘ１２に接続した画素２０に対応する画像データを第１２のビデオデータＶＩＤ１２とする。フレームメモリ１５は、第２のビデオデータＶＩＤ２を第２のデータ供給線Ｌ２に，第４のビデオデータＶＩＤ４を第４のデータ供給線Ｌ４に，…，第１２のビデオデータＶＩＤ１２を第１２のデータ供給線Ｌ１２に出力する。以後、同様に、前記イネーブル信号ＥＢ１〜ＥＢ４に同期して順番に左側のブロックについてそのブロックにある偶数番目の各データ線上の画素２０に対する画像データＤが、読み出され出力されるようになっている。
【００７１】
そして、第１の走査線Ｙ１上の全ての画素２０及び第２の走査線Ｚ３６５上の全ての画素２０に対するビデオデータが読み出され、それら画素２０にそれぞれ書き込まれると、
制御回路１１は、フレームメモリ１５から、第１の走査線Ｙ２と、前記第１〜第１２のデータ線Ｘ１〜Ｘ１２のうちの奇数番目のデータ線Ｘ１，Ｘ３，・・・，Ｘ１１との交差部に対応する位置に配置された画素２０に対する画像データＤを一斉に読み出す。そして、前記と同様に、第１のデータ線Ｘ１に接続した画素２０に対応する画像データを第１のビデオデータＶＩＤ１、第３のデータ線Ｘ３に接続した画素２０に対応する画像データを第３のビデオデータＶＩＤ３，…，第１１のデータ線Ｘ１１に接続した画素２０に対応する画像データを第１１のビデオデータＶＩＤ１１とする。そして、フレームメモリ１５は、第１のビデオデータＶＩＤ１を第１のデータ供給線Ｌ１に，第３のビデオデータＶＩＤ３を第３のデータ供給線Ｌ３に，…，第１１のビデオデータＶＩＤ１１を第１１のデータ
供給線Ｌ１１に出力する。以後、同様に、前記イネーブル信号ＥＢ１〜ＥＢ４に同期して順番に左側のブロックについてそのブロックにある奇数番目の各データ線上の画素２０に対する画像データＤが、読み出され出力されるようになっている。
【００７２】
また、制御回路１１は、これと同期して、フレームメモリ１５は、第２の走査線Ｚ３６６と、前記第１〜第１２のデータ線Ｘ１〜Ｘ１２のうちの偶数番目のデータ線との交差部に対応する位置に配置された画素２０に対する画像データＤを一斉に読み出す。そして、前記と同様に、第２のデータ線Ｘ２に接続した画素２０に対応する画像データを第２のビデオデータＶＩＤ２，第４のデータ線Ｘ４に接続した画素２０に対応する画像データを第４のビデオデータＶＩＤ４，…，第１２のデータ線Ｘ１２に接続した画素２０に対応する画像データを第１２のビデオデータＶＩＤ１２とする。そして、フレームメモリ１５は、第２のビデオデータＶＩＤ２を第２のデータ供給線Ｌ２に，第４のビデオデータＶＩＤ４を第４のデータ供給線Ｌ４に，…，第１２のビデオデータＶＩＤ１２を第１２のデータ供給線Ｌ１２に出力する。以後、同様に、前記イネーブル信号ＥＢ１〜ＥＢ４に同期して順番に左側のブロックについてそのブロックにある偶数番目の各データ線上の画素２０に対する画像データＤが、読み出され出力されるようになっている。
【００７３】
以降、前記と同様にして、制御回路１１は、第１の走査線駆動回路１３ａが選択する第１の走査線、及び、第２の走査線駆動回路１３ｂが選択する第２の走査線に対応する画像データをデータ線駆動回路１４が選択するブロック毎にフレームメモリ１５から順次読み出されることで、１フレーム分の画像データＤが読み出される。
【００７４】
つまり、１フレームの画像を表示パネル部１２に表示する場合、奇数番目のデータ線に接続された各画素２０の選択を受け持つ第１の走査線駆動回路１３ａは、第１の走査線Ｙ１〜Ｙ７２８を最上段走査線から最下段走査線に向かって順番に選択する。従って、表示パネル部１２において、奇数番目のデータ線に接続された各画素２０は、最上段位置の行から最下段位置の行に向かって順番にビデオデータが書き込まれる。これに対して、１フレームの画像を表示パネル部１２に表示する場合、偶数番目のデータ線に接続された各画素２０の選択を受け持つ第２の走査線駆動回路１３ｂは、第２の走査線Ｚ１〜Ｚ７２８を中段走査線（走査開始走査線）から最下段走査線、そして、最上段走査線から中段走査線（捜査開始走査線）に向かって順番に選択する。従って、偶数番目のデータ線に接続された各画素２０は、中段位置の行から最下段位置の行、そして、最上段位置の行から中段位置の行に向かって順番にビデオデータが書き込まれる。
【００７５】
尚、第１の走査線Ｙ１〜Ｙ７２８及び第２の走査線Ｚ１〜Ｚ７２８の各々が選択される毎にその画像データの極性が反転したデータが各データ供給線Ｌ１〜Ｌ４に出力されるようになっている。即ち、本実施形態の液晶表示装置１０は、１フレーム毎に画素２０の電位の極性が切り換われる、所謂、フレーム反転方式の液晶表示装置である。
【００７６】
従って、行方向において奇数番目の各画素２０に（一つおきに）与えられる同極性の信号の時間は下段ほど短く画素電位の低下の割合が大きくなる。これに対して、行方向において偶数番目の各画素２０に（一つおきに）与えられる同極性の信号の時間は、中段から下段そして上段から中段に向かうほど短く画素電位の低下の割合が大きくなる。その結果、表示パネル部１２において、画素電位の低下する画素が散在し画素電位の低下の割合が画面全体にわたって平均化され、上下方向に対して発生する輝度傾斜を抑制することができる。例えば、本実施形態の液晶表示装置１０がノーマリーホワイトモードで使用される場合であれば、表示パネル部１２の下にいくほど明るくなるといった輝度むらの発生を抑制することができる。また、例えば、本実施形態の液晶表示装置１０がノーマリーブラックモードで使用される場合であれば、表示パネル部１２の下にいくほど暗くなるといった輝度むらの発生を抑制することができる。
【００７７】
尚、特許請求の範囲に記載のデータ信号は、本実施形態においては、画像データＤに対応している。特許請求の範囲に記載の電気光学装置は、本実施形態においては、液晶表示装置１０に対応している。
【００７８】
前記実施形態の液晶表示装置によれば、以下のような特徴を得ることができる。
（１）  本実施形態では、従来のように１種類の走査線から構成され表示パネル部の上部の走査線を走査開始走査線として下方に順次選択した場合と比較して画素電位の低下の割合が表示パネル部１２全体にわたって平均化されるので、輝度傾斜の発生をなくすことができる。
【００７９】
（２）  本実施形態では、公知のメモリを使用するとともに、走査線を２種の走査線に分けそれぞれの走査線の走査開始走査線を相違させた。従って、従来のように走査線を選択する順番をランダムに選択することで画素電位の低下の割合が表示パネル部１２全体にわたって平均化し輝度傾斜の発生をなくすようにしたものと比較して、その走査線駆動回路及びデータ線駆動回路が複雑且つ大型化になることもない。この結果、簡単な構成で輝度傾斜を無くすことができる液晶表示装置１０を提供することができる。
【００８０】
（３）  本実施形態では、奇数番目のデータ線Ｘ１，Ｘ３，…，Ｘ１３１９に接続する画素２０は表示パネル部１２の上段位置にある走査線Ｙ１からその走査方向に沿ってその輝度を低下させるようにした。また、偶数番目のデータ線Ｘ２，Ｘ４，…，Ｘ１３２０に接続する画素２０は表示パネル部１２の中段位置にある走査線Ｚ３６５からその走査方向に沿ってその輝度を低下させるようにした。従って、輝度のむらを平均化させることができる。
（第２実施形態）
次に、本発明を具体化した第２実施形態を図６に従って説明する。この第２実施形態においては、第１の走査線Ｙ１〜Ｙ７２８と第２の走査線Ｚ１〜Ｚ７２８の選択方法に特徴を有している。そのため、前記第１実施形態と同じ構成部材については符号を等しくし、その詳細な説明を省略する。
【００８１】
本実施形態の液晶表示装置１０は、第２の走査線駆動回路１３ｂによる第２の走査線Ｚ１〜Ｚ７２８の走査方向が中段走査線（走査開始走査線）から最上段走査線、そして、最下段走査線から中段走査線（走査開始走査線）に向かって順番に選択する点が第１実施形態と相違する。なお、第１の走査線駆動回路１３ａによる第１の走査線Ｙ１〜Ｙ７２８の走査方向は、最上段走査線から最下段走査線に向かって順番に選択する点は第１実施形態と同じである。
【００８２】
図６は、第１及び第２の走査線駆動回路１３ａ，１３ｂが出力する第１及び第２の走査信号ＳＹ１〜ＳＹ７２８，ＳＺ１〜ＳＺ７２８のタイミングチャートを示す。第１の走査線駆動回路１３ａは、第１の走査信号ＳＹ１〜ＳＹ７２８を、ＳＹ１→ＳＹ２→ＳＹ３→…→ＳＹ３６５→ＳＹ３６６→ＳＹ３６７→…→ＳＹ７２８の順で出力する。第２の走査線駆動回路１３ｂは、第１の走査信号ＳＹ１〜ＳＹ７２８と同期させて第２の走査信号ＳＺ１〜ＳＺ７２８を、ＳＺ３６５→ＳＺ３６４→ＳＺ３６３→…→ＳＺ１→ＳＺ７２８→ＳＺ７２７→…→ＳＺ３６６の順で出力する。
【００８３】
従って、奇数番目のデータ線Ｘ１，Ｘ３，…と対応する第１の走査線Ｙ１〜Ｙ７２８は、Ｙ１→Ｙ２→Ｙ３→…→Ｙ３６５→Ｙ３６６→Ｙ３６７→…→Ｙ７２８の順で選択される。また、偶数番目のデータ線Ｘ２，Ｘ４，…と対応する第２の走査線Ｚ１〜Ｚ７２８は、Ｚ３６５→Ｚ３６４→Ｚ３６３→…→Ｚ１→Ｚ７２８→Ｚ７２７→…→Ｚ３６６の順で選択される。そして、この第２の走査線駆動回路１３ｂによる選択に対応して、制御回路
１１は、偶数番目の各データ線に供給する画像データＤのフレームメモリ１５からの読み出しを第１実施形態と変更させている。
【００８４】
従って、本実施形態では、前記実施形態と同様に、行方向において奇数番目の各画素２０に（一つおきに）与えられる同極性の信号の時間は下段ほど短く画素電位の低下の割合が大きくなる。これに対して、行方向において偶数番目の各画素２０に（一つおきに）与えられる同極性の信号の時間は、中段位置から最上段位置そして最下段位置から中段位置に向かうほど短く画素電位の低下の割合が大きくなる。その結果、表示パネル部１２において、画素電位の低下する画素が散在し画素電位の低下する画素の割合が画面全体にわたって平均化される。このように、本実施形態においても、前記第１実施形態と同様な効果を有することになる。
（第３実施形態）
次に、本発明を具体化した第３実施形態を図７に従って説明する。この第３実施形態においては、第１の走査線Ｙ１〜Ｙ７２８と第２の走査線Ｚ１〜Ｚ７２８の選択方法に特徴を有している。そのため、前記第１実施形態と同じ構成部材については符号を等しくし、その詳細な説明を省略する。
【００８５】
本実施形態の液晶表示装置１０は、第１の走査線Ｙ１〜Ｙ７２８の走査開始走査線を表示パネル部１２の最上段位置と中段位置の中間に位置する上から数えて１８２番目の第１の走査線Ｙ１８２としている。また、液晶表示装置１０は、第２の走査線Ｚ１〜Ｚ７２８の走査開始走査線を、表示パネル部１２の中段位置と最下段位置の中間に位置する上から数えて５４６番目の第２の走査線Ｚ５６４としている。つまり、本実施形態では、走査開始走査線を前記各実施形態とは相違させている。
【００８６】
さらに、本実施形態の液晶表示装置１０は、第１の走査線駆動回路１３ａによる第１の走査線Ｙ１〜Ｙ７２８の走査方向を、走査開始走査線から最下段走査線、そして、最上段走査線から走査開始走査線に向かって順番に選択する。また、液晶表示装置１０は、第２の走査線駆動回路１３ｂによる第２の走査線Ｚ１〜Ｚ７２８の走査方向を、走査開始走査線から最上段走査線、そして、最下段走査線から走査開始走査線に向かって順番に選択する。
【００８７】
図７は、第１及び第２の走査線駆動回路１３ａ，１３ｂが出力する第１及び第２の走査信号ＳＹ１〜ＳＹ７２８，ＳＺ１〜ＳＺ７２８のタイミングチャートを示す。第１の走査線駆動回路１３ａは、第１の走査信号ＳＹ１〜ＳＹ７２８を、ＳＹ１８２→ＳＹ１８３→…→ＳＹ７２８→ＳＹ１→ＳＹ２→…→ＳＹ１８１の順で出力する。第２の走査線駆動回路１３ｂは、第１の走査信号ＳＹ１〜ＳＹ７２８と同期させて第２の走査信号ＳＺ１〜ＳＺ７２８を、ＳＺ５６４→ＳＺ５６３→…→ＳＺ１→ＳＺ７２８→ＳＺ７２７→…→ＳＺ５６５の順で出力する。
【００８８】
従って、奇数番目のデータ線Ｘ１，Ｘ３，…と対応する第１の走査線Ｙ１〜Ｙ７２８は、Ｙ１８２→Ｙ１８３→…→Ｙ７２８→Ｙ１→Ｙ２→…→Ｙ１８１の順で選択される。また、偶数番目のデータ線Ｘ２，Ｘ４，…と対応する第２の走査線Ｚ１〜Ｚ７２８は、Ｚ５６４→Ｚ５６３→…→Ｚ１→Ｚ７２８→Ｚ７２７→…→Ｚ５６５の順で選択される。そして、制御回路１１は、選択される第１及び第２の走査線に応じて奇数番目及び偶数番目の各データ線に供給する画像データＤのフレームメモリ１５から読み出している。
【００８９】
従って、本実施形態では、前記実施形態と同様に、表示パネル部１２において、画素電位の低下する画素が散在し画素電位の低下する画素の割合が画面全体にわたって平均化される。その結果、本実施形態においても、前記第１及び第２実施形態と同様な効果を有することになる。
（第４実施形態）
次に、本発明を具体化した第４実施形態を図８に従って説明する。この第４実施形態においては、第１の走査線Ｙ１〜Ｙ７２８と第２の走査線Ｚ１〜Ｚ７２８の選択方法に特徴を有している。そのため、前記第１実施形態と同じ構成部材については符号を等しくし、その詳細な説明を省略する。
【００９０】
本実施形態の液晶表示装置１０は、第１の走査線Ｙ１〜Ｙ７２８の走査開始走査線を表示パネル部１２の最上段位置に位置する上から数えて１番目の第１の走査線Ｙ１としている。また、液晶表示装置１０は、第２の走査線Ｚ１〜Ｚ７２８の走査開始走査線を、表示パネル部１２の最下段位置に位置する上から数えて７２８番目の第２の走査線Ｚ７２８としている。つまり、本実施形態では、走査開始走査線を前記各実施形態とは相違させている。
【００９１】
さらに、本実施形態の液晶表示装置１０は、第１の走査線駆動回路１３ａによる第１の走査線Ｙ１〜Ｙ７２８の走査方向を、走査開始走査線（最上段走査線）から最下段走査線に向かって順番に選択する。また、液晶表示装置１０は、第２の走査線駆動回路１３ｂによる第２の走査線Ｚ１〜Ｚ７２８の走査方向を、走査開始走査線（最下段走査線）から最上段走査線に向かって順番に選択する。
【００９２】
図８は、第１及び第２の走査線駆動回路１３ａ，１３ｂが出力する第１及び第２の走査信号ＳＹ１〜ＳＹ７２８，ＳＺ１〜ＳＺ７２８のタイミングチャートを示す。第１の走査線駆動回路１３ａは、第１の走査信号ＳＹ１〜ＳＹ７２８を、ＳＹ１→ＳＹ２→ＳＹ３→…→ＳＹ７２８の順で出力する。第２の走査線駆動回路１３ｂは、第１の走査信号ＳＹ１〜ＳＹ７２８と同期させて第２の走査信号ＳＺ１〜ＳＺ７２８を、ＳＺ７２８→ＳＺ７２７→ＳＺ７２６→…→ＳＺ１の順で出力する。
【００９３】
従って、奇数番目のデータ線Ｘ１，Ｘ３，…と対応する第１の走査線Ｙ１〜Ｙ７２８は、Ｙ１→Ｙ２→Ｙ３→…→Ｙ７２８の順で選択される。また、偶数番目のデータ線Ｘ２，Ｘ４，…と対応する第２の走査線Ｚ１〜Ｚ７２８は、Ｚ７２８→Ｚ７２７→Ｚ７２６→…→Ｚ１の順で選択される。そして、制御回路１１は、選択される第１及び第２の走査線に応じて奇数番目及び偶数番目の各データ線に供給する画像データＤのフレームメモリ１５から読み出している。
【００９４】
従って、本実施形態も、前記各実施形態と同様に、表示パネル部１２において、画素電位の低下する画素が散在し画素電位の低下する画素の割合が画面全体にわたって平均化される。その結果、本実施形態においても、前記各実施形態と同様な効果を有することになる。
【００９５】
（第５実施形態）
次に、本発明を具体化した第５実施形態を図９に従って説明する。この第５実施形態の電気光学装置は、フルカラー表示可能な液晶表示装置であって、前記第１実施形態と同じ構成部材については符号を等しくし、その詳細な説明を省略する。図９は、第５実施形態の表示パネル部１２の電気的構成を説明するための図である。
【００９６】
本実施形態の液晶表示装置３０の表示パネル部１２には、その列方向に沿って赤色用のデータ線ＸＲ１〜ＸＲｍ、緑色用のデータ線ＸＧ１〜ＸＧｍ及び青色用のデータ線ＸＢ１〜ＸＢｍを備えている。詳しくは、表示パネル部１２の左端側から右側に向かって第１の赤用データ線ＸＲ１、第１の緑用データ線ＸＧ１、第１の青用データ線ＸＢ１、第２の赤用データ線ＸＲ２、第２の緑用データ線ＸＧ２、第２の青用データ線ＸＢ２、第３の赤用データ線ＸＲ３、第３の緑用データ線ＸＧ３、第３の青用データ線ＸＢ３、…、第ｍの赤
用データ線ＸＲｍ、第ｍの緑用データ線ＸＧｍ、第ｍの青用データ線ＸＢｍが設けられている。
【００９７】
また、表示パネル部１２の行方向に沿って第１の走査線Ｙ１〜Ｙｎと第２の走査線Ｚ１〜Ｚｎとを備えている。第１の走査線Ｙ１〜Ｙｎと第２の走査線Ｚ１〜Ｚｎとは、表示パネル部１２の上下方向に沿って交互に備えられている。
【００９８】
さらに、表示パネル部１２の列方向に沿って同色の画素２０が配置されている。つまり、図９に示すように、第１の赤色用のデータ線ＸＲ１に沿って赤色の画素２０Ｒが、第１の緑用データ線ＸＧ１に沿って緑色の画素２０Ｇが、第３の青用データ線ＸＢ３に沿って青色の画素２０Ｇが配置されている。そして、前記赤色の画素２０Ｒ、緑色の画素２０Ｇ及び青色の画素２０Ｇが行方向に沿って繰り返して配置されている。
【００９９】
そして、第１の赤色用のデータ線ＸＲ１、第１の緑用データ線ＸＧ１及び第１の青用データ線ＸＢ１の各々と第１の走査線Ｙ１との交差部に対応する位置に配置された赤色の画素２０Ｒ、緑色の画素２０Ｇ及び青色の画素２０Ｇは第１の走査線Ｙ１に接続されている。第２の赤色用のデータ線ＸＲ２、第２の緑用データ線ＸＧ２及び第２の青用データ線ＸＢ２の各々と第２の走査線Ｚ１との交差部に対応する位置に配置された赤色の画素２０Ｒ、緑色の画素２０Ｇ及び青色の画素２０Ｇは第２の走査線Ｚ１に接続されている。第３の赤色用のデータ線ＸＲ３、第３の緑用データ線ＸＧ３及び第３の青用データ線ＸＢ３の各々と第１の走査線Ｙ１との交差部に対応する位置に配置された赤色の画素２０Ｒ、緑色の画素２０Ｇ及び青色の画素２０Ｇは第１の走査線Ｙ１に接続されている。
【０１００】
つまり、奇数番目の各色用のデータ線ＸＲ１，ＸＧ１，ＸＢ１，ＸＲ３，ＸＧ３，ＸＢ３，…は第１の走査線Ｙ１〜Ｙｎに接続されている。偶数番目の各色用のデータ線ＸＲ２，ＸＧ２，ＸＢ２，ＸＲ４，ＸＧ４，ＸＢ４，…は第２の走査線Ｚ１〜Ｚｎに接続されている。そして、この第１の赤用データ線ＸＲ１、第１の緑用データ線ＸＧ１及び第１の青用データ線ＸＢ１が前記第１のデータ線Ｘ１に相当する。また、第２の赤用データ線ＸＲ２、第２の緑用データ線ＸＧ２及び第２の青用データ線ＸＢ２が前記第２のデータ線Ｘ２に相当する。他のデータ線に対しても、同様にして、第ｍの赤用データ線ＸＲｍ、第ｍの緑用データ線ＸＧｍ及び第ｍの青用データ線ＸＢｍが前記第ｍのデータ線Ｘｍに相当する。そして、各赤色用データ線ＸＲ１〜ＸＲｍ、緑色用データ線ＸＧ１〜ＸＧｍ及び青色用データ線ＸＢ１〜ＸＢｍはデータ線駆動回路１４ａに接続されている。本実施形態のデータ線駆動回路１４ａは、フレームメモリから直接画像データＤを入力する。
【０１０１】
そして、データ線駆動回路１４ａは、水平同期信号ＨＳＹＮＣのタイミングで各赤色用データ線ＸＲ１〜ＸＲｍ、緑色用データ線ＸＧ１〜ＸＧｍ及び青色用データ線ＸＢ１〜ＸＢｍに一斉に１走査線に接続された画素２０Ｒ，２０Ｇ，２０Ｂの画像データＤを出力する。
【０１０２】
次に、上記のように構成された液晶表示装置１０の駆動方法について、その詳細を図９に従って説明する。
この第５実施形態においては、第１の走査線Ｙ１〜Ｙｎの走査開始走査線は表示パネル部１２の最上段位置にある第１の走査線Ｙ１である。第２の走査線Ｚ１〜Ｚｎの走査開始走査線は表示パネル部１２の最下段位置にある第２の走査線Ｚｎである。
【０１０３】
そして、第１の走査線駆動回路１３ａは、第１の走査信号ＳＹ１〜ＳＹｎを、ＳＹ１→ＳＹ２→…→ＳＹｎの順で出力する。第２の走査線駆動回路１３ｂは、第１の走査信号ＳＹ１〜ＳＹｎと同期させて第２の走査信号ＳＺ１〜ＳＺｎを、ＳＺｎ→ＳＺｎ−１→…→ＳＺ１の順で出力する。
【０１０４】
従って、奇数番目の各色用のデータ線ＸＲ１，ＸＧ１，ＸＢ１，ＸＲ３，ＸＧ３，ＸＢ３，…と対応する第１の走査線Ｙ１〜Ｙｎは、Ｙ１→Ｙ２→…→Ｙｎの順で選択される。また、偶数番目の各色用のデータ線ＸＲ２，ＸＧ２，ＸＢ２，ＸＲ４，ＸＧ４，ＸＢ４，…と対応する第２の走査線Ｚ１〜Ｚ７２８は、Ｚｎ→Ｚｎ−１→…→Ｚ１の順で選択される。そして、制御回路１１は、選択される第１及び第２の走査線に応じて奇数番目及び偶数番目の各データ線に供給する画像データＤのフレームメモリ１５から読み出している。
【０１０５】
このようにすることで、フルカラー可能な液晶表示装置１０においても上記実施形態と同様な効果を得ることができる。
（第６実施形態）
次に、第１〜第５実施形態で説明した電気光学装置としての液晶表示装置１０の電子機器の適用について図１０に従って説明する。液晶表示装置１０は、液晶プロジェクター、モバイル型のパーソナルコンピュータ、携帯電話、デジタルカメラ等種々の電子機器に適用できる。
【０１０６】
図１０は、電子機器の一例たる液晶プロジェクター６０の概略構成図である。液晶プロジェクター６０は、前記液晶表示装置１０を含む液晶表示モジュールを備え、その表示パネル部１２は、赤用、緑用及び青用の表示パネル部１２Ｒ，１２Ｇ，１２Ｂを有した投射型プロジェクターとして構成されている。液晶プロジェクター６０では、白色光源ユニット６１から投射光が発せられると、その投射光が複数のミラーＭ１を介して２枚のダイクロイックミラーＭ２によって、ＲＧＢの３原色に対応する光成分Ｒ、Ｇ、Ｂに分けられる。そして、各色用の表示パネル部１２Ｒ，１２Ｇ，１２Ｂに導かれる。
【０１０７】
そして、色用の表示パネル部１２Ｒ，１２Ｇ，１２Ｂにより夫々変調された３原色に対応する光成分は、ダイクロイックプリズムＰＲにより再度合成された後、投写レンズＬＺを介してスクリーンなどにフルカラー画像として投写される。
【０１０８】
この場合でも、液晶表示装置１０を用いた液晶プロジェクター６０は、前記と同様な効果を発揮する。従って、簡単な構成で輝度傾斜を無くすことができる液晶プロジェクター６０を提供できる。
【０１０９】
尚、発明の実施形態は、上記実施形態に限定されるものではなく、以下のように実施してもよい。
上記各実施形態では、データ線Ｘ１〜Ｘ１３２０の各々を、奇数番目のデータ線Ｘ１，Ｘ３，…，Ｘ１３１９と、偶数番目のデータ線Ｘ２，Ｘ４，…，Ｘ１３２０とからなる２つの組に区分した。そして、奇数番目のデータ線Ｘ１，Ｘ３，…，Ｘ１３１９に接続された画素２０に対応した走査線を第１の走査線Ｙ１〜Ｙ７２８、偶数番目のデータ線Ｘ２，Ｘ４，…，Ｘ１３２０に接続された画素２０に対応した走査線を第２の走査線Ｚ１〜Ｚ７２８とした。これを、データ線Ｘ１〜Ｘ１３２０の各々を３つ以上の組に区分してもよい。このとき、この区分した数のデータ線に接続された画素２０に対応して走査線の類を設定される。このようにすることで、上記第１〜第４実施形態と比較して更に画素電位の低下の割合が表示パネル部１２全体にわたって平均化されるので、より、輝度傾斜の発生を抑制することができる液晶表示装置を提供することができる。
【０１１０】
上記実施形態の第１及び第２の走査線駆動回路１３ａ，１３ｂを、例えば、セット・リセット機能付の加減算カウンタとマルチプレクサを用いて、走査線の選択を行うようにして実施してもよい。この場合、走査開始走査線に対応する初期値にセットした後、同カウンタを加減算させ、その時々の値をマルチプレクサに出力する。マルチプレクサは、そのカウント値から対応する走査線のみを選択し、その選択した走査線に走査信号を出力する
ことになる。
【０１１１】
上記各実施形態では、データ線Ｘ１〜Ｘ１３２０の各々を、奇数番目のデータ線Ｘ１，Ｘ３，…，Ｘ１３１９と、偶数番目のデータ線Ｘ２，Ｘ４，…，Ｘ１３２０とからなる２つの組に区分したが、これに限定されるものではなく、要は、走査線を２種の走査線に分けそれぞれの走査線の走査開始走査線を相違させればよい。
【０１１２】
上記実施形態では、液晶素子ＬＣＤを備えた液晶表示装置に具体化して好適な効果を得たが、液晶表示装置以外の例えば有機ＥＬ素子を用いた有機ＥＬディスプレイ、デジタルマイクロミラーデバイス（ＤＭＤ）を用いたディスプレイ、電子放出素子を用いたディスプレイ（ＦＥＤ）やＳＥＤ（Ｓｕｒｆａｃｅ−Ｃｏｎｄｕｃｔｉｏｎ  Ｅｌｅｃｔｒｏｎ−Ｅｍｉｔｔｅｒ  Ｄｉｓｐｌａｙ）に具体化してもよい。
【図面の簡単な説明】
【０１１３】
【図１】第１実施形態の液晶表示装置の電気的構成を示すブロック回路図である。
【図２】第１実施形態の表示パネル部の回路構成を示すブロック回路図である。
【図３】画素の等価回路図である。
【図４】各種信号のタイミングチャートである。
【図５】液晶表示装置の各走査線に供給される各走査信号のタイミングチャートである。
【図６】第２実施形態に係る液晶表示装置の各走査線に供給される各走査信号のタイミングチャートである。
【図７】第３実施形態に係る液晶表示装置の各走査線に供給される各走査信号のタイミングチャートである。
【図８】第４実施形態に係る液晶表示装置の各走査線に供給される各走査信号のタイミングチャートである。
【図９】第５実施形態の表示パネル部の電気的構成を説明するための図である。
【図１０】第６実施形態に係る液晶プロジェクターの構成図である。
【図１１】従来の駆動方法によって表示されたノーマルホワイトモードでの画像の画面図である。
【図１２】従来の駆動方法によって表示されたノーマルブラックモードでの画像の画面図である。
【符号の説明】
【０１１４】
Ｄ…データ信号としての画像データ、Ｘ１〜Ｘｍ…データ線、Ｙ１〜Ｙｎ…第１の走査線、Ｚ１〜Ｚｎ…第２の走査線、Ｙ１，Ｚ３６５…走査開始走査線、１０…電気光学装置としての液晶表示装置、１３ａ…第１の走査線駆動回路、１３ｂ…第２の走査線駆動回路、１４，１４ａ…データ線駆動回路、２０…画素、６０…電子機器としての液晶プロジェクター。
【図１】
2005107144.tif 000003
【図２】
2005107144.tif 000004
【図３】
2005107144.tif 000005
【図４】
2005107144.tif 000006
【図５】
2005107144.tif 000007
【図６】
2005107144.tif 000008
【図７】
2005107144.tif 000009
【図８】
2005107144.tif 000010
【図９】
2005107144.tif 000011
【図１０】
2005107144.tif 000012
【図１１】
2005107144.tif 000013
【図１２】
2005107144.tif 000014